(57)【要約】      （修正有）【課題】使用済みタイルカーペットの再利用を可能とする再生リサイクルシステムを提供すること。【解決手段】ユーザーの床下地から、施工済みのタイルカーペットを剥離する第１の工程、それををユーザーから一時的回収してタイルカーペット再生工場に搬入する第２の工程、回収したタイルカーペットのカーペット層面或いはバッキング層面の何れかの表面にカーペット原反を張り付けて適宜の方法で所定の寸法に切りそろえて再生タイルカーペットを形成する第３の工程、再生タイルカーペットを、ユーザーが指定する場所に返送搬入する第４の工程、ユーザーが指定する床下地面に再生タイルカーペットの新しいカーペット層面が表面となる様に、再生タイルカーペットを配置する第５の工程からなり、更に、第５の工程後、所定の期間経過後に、第１から第５の各工程が繰り返される第６の工程が実行される様に構成されているタイルカーペットの再生再使用システム。【選択図】図１
2007159949.tif 000002
【特許請求の範囲】
【請求項１】
タイルカーペットの施工業者が、タイルカーペットの再生再使用に関して所定の契約を締結しているタイルカーペットのユーザーもしくはオーナーの支配下にある適宜の床下地から、施工済み且つ使用中のタイルカーペットを剥離する第１の工程、
当該ユーザーもしくはオーナーの支配下にある当該床下地から、剥離した施工済み且つ使用中の当該タイルカーペットを当該ユーザーもしくはオーナーから一時的に預かり回収して、当該タイルカーペットの施工業者と所定の契約を有するタイルカーペット再生工場に搬入する第２の工程、
当該預かり回収した当該使用済みの複数個のタイルカーペットを洗浄するかしないで、当該タイルカーペットのカーペット層面或いはバッキング層面の何れかの表面に、当該タイルカーペットのサイズを上回る大きさのカーペット原反の、カーペット層が形成されている面とは反対側の面（以下単に原反裏面という）を張り付けた後、適宜の方法で所定の寸法に切りそろえて再生タイルカーペットを形成する第３の工程、
当該再生タイルカーペットを、当該ユーザー若しくはオーナーが指定する場所に返送搬入する第４の工程、
当該ユーザー若しくはオーナーが指定する適宜の床下地面に当該再生タイルカーペットの当該新しいカーペット層面が表面となる様に、当該再生タイルカーペットを配置施工する第５の工程、
とから構成されている事を特徴とするタイルカーペットの再生再使用システム。
【請求項２】
当該第５工程後、所定の期間経過後或いは当該所定の期間経過後毎に、上記第１から第５の各工程が繰り返される第６の工程を更に含んでいる事を特徴とする請求項１に記載のタイルカーペットの再生再使用システム。
【請求項３】
タイルカーペットの施工業者が、タイルカーペットの再生再使用に関して所定の契約を締結しているタイルカーペットのユーザーもしくはオーナーの支配下にある適宜の床下地から、施工済み且つ使用中のタイルカーペットを剥離する第１１の工程、
当該ユーザーもしくはオーナーの支配下にある当該床下地から、剥離した施工済み且つ使用中の当該タイルカーペットを当該ユーザーもしくはオーナーから一時的に預かり回収して、当該タイルカーペットの施工業者と所定の契約を有するタイルカーペット再生工場に搬入する第１２の工程、
回収した施工済み且つ使用中の当該タイルカーペットを洗浄するかしないで当該カーペットのバッキング層を除去する第１３の工程、
当該バッキング層を除去して得たカーペット層を主体とする繊維形成材料層の当該カーペット層面或いは当該カーペット層が形成されている面とは反対側の裏面（以下単に繊維形成材料層裏面という）の何れかの表面に、当該タイルカーペットのサイズを上回る大きさのカーペット原反の、カーペット層が形成されている面とは反対側の面（以下単に原反裏面という）を張り付けた後、適宜の方法で所定の寸法に切りそろえて再生タイルカーペットを形成する第１４の工程、
当該再生タイルカーペットを、当該ユーザー若しくはオーナーが指定する場所に返送搬入する第１５の工程
当該ユーザー若しくはオーナーが指定する適宜の床下地面に当該再生タイルカーペットの当該新しいカーペット層面が表面となる様に、当該再生タイルカーペットを配置施工する第１６の工程、
とから構成されている事を特徴とするタイルカーペットの再生再使用システム。
【請求項４】
当該第１６工程後、所定の期間経過後或いは当該所定の期間経過後毎に、上記第１１から第１６の各工程が繰り返される第１７の工程を更に含んでいる事を特徴とする請求項３に記載のタイルカーペットの再生再使用システム。
【請求項５】
当該第３の工程は、回収した施工済み且つ使用中の当該タイルカーペットを適宜の方法にてつなぎ合わせ、広幅長尺状のタイルカーペットシート層を形成する第３−１の工程と
当該広幅長尺状のタイルカーペットシート層のカーペット層面或いはバッキング層面の何れかの表面に、当該カーペット原反の、カーペット層の原反裏面を張り付けた後、適宜の方法で所定の寸法に切りそろえて再生タイルカーペットを形成する第３−２の工程とから構成されている事を特徴とする請求項１に記載のタイルカーペットの再生再使用システム。
【請求項６】
当該第１４の工程は、当該バッキング層を除去して得た当該繊維形成材料層を適宜の方法にてつなぎ合わせ、広幅長尺状の繊維形成材料層シート層を形成する第１４−１の工程と当該広幅長尺状の繊維形成材料層シート層の当該カーペット層面或いは当該繊維形成材料層裏面の何れかの表面に、当該カーペット原反の、カーペット層の原反裏面を張り付けた後、適宜の方法で所定の寸法に切りそろえて再生タイルカーペットを形成する第１４−２の工程と、から構成されている事を特徴とする請求項３に記載のタイルカーペットの再生再使用システム。
【請求項７】
当該再生タイルカーペットを前記ユーザーの指定する場所に搬入して配置施工する当該第５の工程或は当該第１６の工程に於いて、当該再生タイルカーペットが前記ユーザーの指定する場所の面積に及ばない場合には、不足分を当該第３の工程或は当該第１４の工程にてあらかじめ用意した所定の寸法からなる再生タイルカーペットを同時に搬入する工程を含む事を特徴とする事を特徴とする請求項１乃至６の何れかに記載のタイルカーペットの再生再使用システム。
【請求項８】
当該再生タイルカーペットを形成する工程には、更に当該ユーザーから一時的に預かり回収した当該使用済のタイルカーペットの厚みを減少させる厚み減少工程が含まれている事を特徴とする請求項１乃至７の何れかに記載のタイルカーペットの再生再使用システム。
【請求項９】
当該厚み減少工程は、当該再生されたタイルカーペットの厚みと当該ユーザーが指定する適宜の床下地面からの許容される高さとから、当該再生タイルカーペットが許容される厚みを勘案して、その高さを調整する工程を含んでいる事を特徴とする請求項８記載のタイルカーペットの再生再使用システム。
【請求項１０】
当該厚み減少工程は、使用済みのタイルカーペットのバッキング層を除去する方法が、回転差を有する一対のロールの隙間をタイルカーペットの塩化ビニル裏打ち層の厚さ以下に絞り、加熱したタイルカーペットを、該一対のロールのうち早い方のロール側にバッキング層が来るようにして前記隙間に通すことにより、カーペット層とバッキング層の境界面に層間のずれを生じさせ、剥離を起こさせるタイルカーペットから塩化ビニル裏打ち層を分離する方法である事を特徴とする請求項８又は９に記載のタイルカーペットの再生再使用システム。
【請求項１１】
当該厚み減少工程は、当該バッキング層を削り取ることによってタイルカーペットから当該バッキング層の少なくとも一部を分離する方法である請求項８又は９に記載のタイルカーペットの再生再使用システム。
【請求項１２】
当該厚み減少工程は、バンドナイフスプリッターによってカーペット層と当該バッキング層の一部或はカーペット層と当該バッキング層との境界をスライスすることによってタイルカーペットから当該バッキング層の少なくとも一部を分離する方法である請求項８又は９に記載のタイルカーペットの再生再使用システム。
【請求項１３】
当該厚み減少工程は、当該広幅長尺状に形成されたタイルカーペットシート層或は繊維形成材料層シート層を形成するに際して、補強シートを介して当該広幅長尺状層を形成する場合には、当該補強シートの厚みを調整する事を特徴とする請求項８又は９に記載のタイルカーペットの再生再使用システム。
【請求項１４】
当該厚み減少工程は、剥離分離したカーペット層を１５０℃〜２００℃に加熱し、当該カーペット層の厚さより少ない間隙に絞ったロールの間を通過させるか、若しくは圧縮成型することにより、カーペット層を圧縮して厚さを減少する方法である請求項８又は９に記載の施工済み且つ使用中のタイルカーペットの再生再使用システム。
【請求項１５】
当該厚み減少工程は、当該回収された使用済みのタイルカーペットから、当該バッキング層を剥離分離するに際して、当該バッキング層の剥離厚さを調整する事を特徴とする請求項８又は９に記載のタイルカーペットの再生再使用システム。
【請求項１６】
当該厚み減少工程は、当該回収された使用済みのタイルカーペット或は、当該繊維形成材料層を構成するカーペット層を加熱加圧処理を介してその厚みを調整する事を特徴とする請求項８又は９に記載のタイルカーペットの再生再使用システム。
【請求項１７】
当該回収した使用済みのタイルカーペット或は当該タイルカーペットからバッキング層を除去して得た繊維形成材料層の隣接する縁端部同士を適宜の方法にてつなぎ合わせる方法が適宜の補強シートを介すか介さずに、適宜の接着剤を使用するか、粘着材若しくは両面粘着テープを使用するか、熱融着処理するか、縫合処理するか、内蔵する金属箔を誘導過熱することによって加熱処理するか、誘電過熱あるいは超音波加工することによって広幅長尺状のタイルカーペットシート層或は繊維形成材料層シートを形成する事を特徴とする請求項５又は６に記載のタイルカーペットの再生再使用システム。
【請求項１８】
カーペット原反の裏面に一つ或いは複数個の回収された使用済みタイルカーペットの当該カーペット層面或はバッキング層面が接合されている事を特徴とする再生タイルカーペット。
【請求項１９】
カーペット原反の裏面に一つ或いは複数個の回収された使用済みタイルカーペットから分離された繊維形成材料層の当該カーペット層面或はその裏面が接合されている事を特徴とする再生タイルカーペット。
【請求項２０】
当該広幅長尺状に形成されたタイルカーペットシート層或は繊維形成材料層シート層とカーペット原反とを相互に接合するに際し、それぞれの層のカーペット層が外側に配置される様に配列されており、かつ当該両者は、適宜の接着剤、塩化ビニル裏打ち材用の塩化ビニルゾル、両面粘着テープ、若しくは基材が、メッシュ材料である両面粘着テープ、若しくは基材のない両面粘着テープの粘着材から選択された少なくとも一つの接合手段を介して接合せしめられており、かつ適宜の寸法に切り揃えられている事を特徴とする再生タイルカーペット。
【請求項２１】
タイルカーペットの施工業者が、タイルカーペットの再生再使用に関して所定の契約を締結しているタイルカーペットのユーザーの支配下にある適宜の床下地から、施工済み且つ使用中のタイルカーペットを剥離する第３１の工程、
ユーザーの支配下にある当該床下地から、剥離した当該施工済み且つ使用中のタイルカーペットを当該ユーザーから一時的に預かり回収して当該タイルカーペットの施工業者と契約するタイルカーペット再生工場に搬入する第３２の工程、
当該回収したタイルカーペットのカーペット層面或いはバッキング層面の何れかの表面にタイルカーペットサイズを有する未使用のタイルカーペットのカーペット層面或いはバッキング層面の何れかを張り付けて適宜の方法にて所定の寸法に切り揃えて、再生タイルカーペットを形成する第３３の工程、
当該再生タイルカーペットを、当該ユーザーが指定する場所に返送搬入する第３４の工程、
当該ユーザーが指定する適宜の床下地面に当該再生タイルカーペットの当該新しいカーペット層面が表面となる様に、当該再生タイルカーペットを配置施工する第３５の工程、
とから構成されている事を特徴とするタイルカーペットの再生再使用システム。
【請求項２２】
当該第３５の工程後、所定の期間経過後或いは当該所定の期間経過後毎に、上記第３１から第３５の各工程が繰り返される第３６の工程を更に含んでいる事を特徴とする請求項２１に記載のタイルカーペットの再生再使用システム。
【請求項２３】
当該厚み減少工程は、使用済みのタイルカーペットのカーペット層と、塩化ビニル裏打ち層若しくは再生タイルカーペット層とを分離する工程であって、当該分離工程は、当該使用済みのタイルカーペットを熱風に曝すか加熱された液体内に浸漬する事により実行される事を特徴とする請求項８又は９に記載のタイルカーペットの再生再使用システム。
【請求項２４】
当該厚み減少工程は、使用済みのタイルカーペットのカーペット層と、塩化ビニル裏打ち層若しくは再生タイルカーペット層とを分離する工程であって、当該分離工程は、当該使用済みのタイルカーペットを加熱した後、当該加熱された使用済みのタイルカーペットを移動中にその移動方向を急峻に変更する事により実行される事を特徴とする請求項８又は９に記載のタイルカーペットの再生再使用システム。
【請求項２５】
使用済みのタイルカーペットそのまま或いは当該使用済みのタイルカーペットから塩化ビニル裏打ち層を除去したカーペット層をバッキング層として使用して、新しいカーペット層或いはカーペット原反の裏面に接合して再生タイルカーペットを製造した後、当該再生タイルカーペットを所定の使用期間の経過後に、当該再生タイルカーペットから別の再生タイルカーペットを製造するに際し、当該再生タイルカーペットに於ける当該バッキング層と当該カーペット層とを適宜の方法で分離し、当該分離された当該カーペット層のみをバッキング層として別の新しいカーペット層或いはカーペット原反の裏面に接合して別の再生タイルカーペットを製造することを特徴とする再生タイルカーペットの製造方法。
【請求項２６】
カーペット層及び使用済みのカーペット層からなるバッキング層とで構成されている事を特徴とする再生タイルカーペット。
【発明の詳細な説明】
【技術分野】
【０００１】
本発明はユーザー若しくはオーナーの支配下にある適宜の床下地から剥離した施工済み且つ使用中のタイルカーペットの一部若しくは全部を当該タイルカーペットのユーザーから一時的に預り回収して、表面のカーペット層を更新して新しいカーペットタイルに再生する再生タイルカーペットを提供すると共に、当該再生タイルカーペットを新たな場所で施工するか、元の施工位置にもどして再施工する再使用システムに関するものである。
【０００２】
更に詳しくは、本発明は施工済み且つ使用中のタイルカーペットからバッキング層を剥がし取って得たカーペット層を適宜の方法にてつなぎ合わせ、洗浄して汚れ部分を除去するか洗浄しないで、そのまま、或は広幅長尺状のカーペット層を形成し、当該使用済みのタイルカーペット或は当該広幅長尺状のカーペット層面と未使用のカーペット原反を適宜の方法にて張り合わせて、所定の寸法に切り揃えて再生タイルカーペットを形成する事により、施工済み且つ使用中のタイルカーペットを再生再使用するタイルカーペットの再生再使用システムに関するものである。
【背景技術】
【０００３】
タイルカーペットが広く使われるようになって１０数年が経過し、更新の時期を迎えている。一方、廃棄物の処理は、年々困難になってきており、特に塩化ビニル樹脂系製品はダイオキシンの問題を伴い、その廃棄は一層困難であるため、回収したタイルカーペットの再利用が社会的課題となってきている。
【０００４】
米国などでは、洗浄したのち表面のカーペット層を再度染色し模様を施して再利用しているが、一度汚れたカーペット層の汚れを充分に落とすことは難しく、染色の色合いは必然的に濃い色に限定されてくるのが実情である。
【０００５】
タイルカーペットの再利用技術としては、特許文献１、２及び７記載の技術がある。これらの技術は、カーペット層を実質的に刈り取って除去することにより得られた廃材の表面または裏面に表面化粧樹脂層を形成するものである。カーペット層を実質的に刈り取って除去する理由は、カーペット層が存在すると、その面に接着剤や粘着材が適用できないからである。そのため、これらの技術においてはカーペット層を実質的に刈り取ってしまう必要があったのである。しかし、その結果として大量のカーペット層の繊維屑が発生し、これが産業廃棄物になるという問題があるほか、カーペット層の刈り取り工程が必要となるためコストアップの原因となる。
【０００６】
また、特許文献３〜５に記載されている回収タイルカーペットを微細に粉砕し、比重分離法等によりカーペット層と塩化ビニル裏打ち層を分離する方法も一般に行われているが、常温で柔らかいタイルカーペットを粉砕するには多くのエネルギーを必要とし粉砕時の騒音も大きい。
【０００７】
これらの特許文献１〜５はいずれもタイルカーペットの構成部分の半分である塩化ビニル裏打ち材のみを再利用しようと言う考えに基づくものであり、残り半分を占めるカーペット層は再度産業廃棄物として廃棄しようという技術思想が根底にあった。
【０００８】
更に、特許文献６には、マイナス３０℃以下に冷凍することにより容易に粉砕できる裏打ち層を用いたタイルカーペットを作ることも提案されているが、既に市場に出回っている軟質塩化ビニルを裏打ち層とするタイルカーペットに適用するには冷凍温度を極度に低くする必要があるため、実用には至っていない。
【０００９】
【特許文献１】特開２０００−２２０２８１号公報
【特許文献２】特開２０００−２２０２８２号公報
【特許文献３】実開昭５９―１３２５８１号公報  第１頁
【特許文献４】実開昭５９―１３２５８２号公報  第１頁
【特許文献５】特開平８―３１２１１７号公報  第２頁  段落０００５
【特許文献６】特開平９―１７３１９７号公報  第３頁  段落００１８
【特許文献７】特開２００３−２３６９５７号公報
【００１０】
一方、廃棄物と清掃に関する法律は年々規制を強化しており、産業廃棄物を扱うには、収集・運搬にも、処分にも企業として又個人としての資格および認定が必要であり、零細企業が殆どであるタイルカーペットの施工業者にとっては適法にやろうとすれば、大きな負担となっている。
【００１１】
従来、タイルカーペットの更新は法的規制は特になく、ユーザーと施工者の合意があれば自由に営業が出来ていた。その反面、施工者の中には意識するとしないに係わらず、使用済みのタイルカーペットを安い廃棄物処理業者に委託して結果として適法でない廃棄につながっていたことも否定できない。
【００１２】
しかしながら一部の業者に網を掛ける為に廃棄物と清掃に関する現在の規制では、適法にやろうとすれば、全てのタイルカーペットの更新現場において、全てのタイルカーペットの施工業者が使用済みタイルカーペットを持ち出し、運搬することからして資格と元請企業との処理委託契約がなければ適法でないことになり、零細な更新工事を適法に行おうとする善良な業者にとって大きな負担となっているのである。
【００１３】
本発明者等は法の趣旨を踏まえて、タイルカーペット由来の産業廃棄物を大幅に減少させると同時に、資源化して再利用する方法と、零細な更新工事を適法に行おうとする善良な業者と産業廃棄物処理代を負担しているビルのオーナー若しくはユーザーの負担を大幅に軽減する道が両立する技術を考案すべくこの発明に到ったのである。
【発明の開示】
【発明が解決しようとする課題】
【００１４】
本発明の目的は、使用済み且つ使用中のタイルカーペットを極力産業廃棄物にせずに、ビルのオーナー若しくはユーザーに所有権を留めたまま、表面のカーペット層のみを更新するという方法を提案するものである。
【００１５】
即ち、全てのタイルカーペットの施工業者が関連の新たな資格を必要とせずに使用済みタイルカーペットを所定の施工場所から剥がしてビルのオーナー若しくはユーザーから預かり所定の場所まで運搬移送した後、必要に応じて厚み減少工程を経て得たカーペット層をつなぎ合わせて広幅長尺状のカーペット層を形成し、当該広幅長尺状のカーペット層面と未使用のカーペット原反を適宜の方法にて張り合わせて、所定の寸法に切り揃えて再生タイルカーペットを形成する工程を経た後、再生したタイルカーペットを再度運搬して同一の場所或は新規の場所で再施工することができるような仕組みを確立することにある。
【００１６】
かくすることによって、使用済みタイルカーペットを産業廃棄物とせず、外部にも極力排出しない様にすることが可能でかつ法的には適法な処分方法或いはシステムを用意することである。
【課題を解決するための手段】
【００１７】
本発明は、上記目的を達成するために、例えば以下の様な基本的な技術構成を採用するものである。
即ち、本発明に係るタイルカーペットの再生再使用システムの一具体例に於いては、タイルカーペットの施工業者が、タイルカーペットの再生再使用に関して所定の契約を締結しているタイルカーペットのユーザーもしくはオーナーの支配下にある適宜の床下地から、施工済み且つ使用中のタイルカーペットを剥離する第１の工程、
【００１８】
当該ユーザーもしくはオーナーの支配下にある当該床下地から、剥離した施工済み且つ使用中の当該タイルカーペットを当該ユーザーもしくはオーナーから一時的に預かり回収して、当該タイルカーペットの施工業者と所定の契約を有するタイルカーペット再生工場に搬入する第２の工程、
【００１９】
当該預かり回収した当該使用済みの複数個のタイルカーペットを洗浄するかしないで、当該タイルカーペットのカーペット層面或いはバッキング層面の何れかの表面に、当該タイルカーペットのサイズを上回る大きさのカーペット原反の、カーペット層が形成されている面とは反対側の面（以下単に原反裏面という）を張り付けた後、適宜の方法で所定の寸法に切りそろえて再生タイルカーペットを形成する第３の工程、
【００２０】
当該再生タイルカーペットを、当該ユーザー若しくはオーナーが指定する場所に返送搬入する第４の工程
当該ユーザー若しくはオーナーが指定する適宜の床下地面に当該再生タイルカーペットの当該新しいカーペット層面が表面となる様に、当該再生タイルカーペットを配置施工する第５の工程、
とから構成されているタイルカーペットの再生再使用システムである。
【００２１】
更に、本発明に於いては、上記した工程に於いて、当該第５工程後、更に所望により、所定の期間経過後或いは当該所定の期間経過後毎に、上記第１から第５の各工程が繰り返される第６の工程を設ける事も可能である。
【００２２】
従来、汚れた使用済みのタイルカーペットを更新するには、取り敢えず現在の使用中のタイルカーペットを廃棄して新にタイルカーペットを施工しなおすと言うやり方が一般的であった。これは使用済みのタイルカーペットを一旦産業廃棄物にして、しかる後に産業廃棄物の有効利用を模索すると言う方法論に立脚している。
【００２３】
処で、使用中若しくは使用済みのタイルカーペットは、その表面が汚れている事を除外すればその本来の機能としては失われていない。特にその価格の大半を占めるカーペット層はクッション性、ループの性質、通気性、保温性に着目すれば、大変有用なものである。
【００２４】
本発明の発明者等は、その有用な部分に着目して、これを最大限に利用すると言う考え方に立ち、且つ産業廃棄物は出来る限り生み出さないと言う原則に立つことによって、汚れた使用済みのタイルカーペットの取り扱いは全く異なった方法にたどり着いたものである。
【００２５】
この方法は特開２００４−１６８０２３号公報に開示されているようにタイルカーペットをその形状のまま塩化ビニル裏打ち材とカーペット層に剥離・分離する技術によって始めて可能になった。
【００２６】
即ち、使用中若しくは使用済みのタイルカーペットの有用な部分に着目して、使用中若しくは使用済みのタイルカーペットそのものをそのままバッキング層として使用するか、使用中若しくは使用済みのタイルカーペットからカーペット層を剥がし取り、新たなタイルカーペットのバッキング層として再利用するのが本発明の一つの狙いであり、もう一つは、更新する過程においてすべての工程で産業廃棄物を極力発生させず、使用中若しくは使用済みのタイルカーペットを取り扱う施工業者が、ビルのオーナー若しくはユーザーから預かり、再生タイルカーペットに加工する再生業者の工場に運搬移送した後、必要に応じて厚み減少工程を経て得たカーペット層をつなぎ合わせて広幅長尺状のカーペット層を形成し、当該広幅長尺状のカーペット層面と未使用のカーペット原反を適宜の方法にて張り合わせて、所定の寸法に切り揃えて再生タイルカーペットを形成する工程を経た後、再生したタイルカーペットを再度運搬して、同一の場所或いは新規の場所で再施工する事が出来るような仕組みを確立することにある。
【００２７】
本発明の目的は、使用済み且つ使用中のカーペットタイルを極力産業廃棄物にせずに、ビルのオーナー若しくはユーザーに所有権を留めたまま、表面のカーペット層のみを更新するという方法を提案するものである。
【００２８】
即ち、タイルカーペットの改装工事に携わる全てのタイルカーペットの施工業者が関連の新たな資格を必要とせずに使用済みタイルカーペットを所定の施工場所から剥がしてビルのオーナー若しくはユーザーから預かり所定のタイルカーペット再生工場まで運搬移送した後、再生したタイルカーペットを再度運搬して同一の場所或は新規の場所で再施工することができるような仕組みを確立することにある。
【００２９】
かくすることによって、使用済みタイルカーペットを出来る限り産業廃棄物とせず、外部にも極力排出しない様にすることが可能でかつ法的には適法な処分方法或いはシステムを用意することである。
【００３０】
かくすることによって、当該ユーザーから一時的に預り回収する施工済み且つ使用中のタイルカーペットは、ビルのオーナー若しくはユーザーに所有権を留めたまま、表面のカーペット層のみを更新するという方法であって、施工済み且つ使用中のタイルカーペットは産業廃棄物ではないこととなる。
【００３１】
本発明の課題は使用済みのタイルカーペットの有用性に着目して、施工済み且つ使用中のタイルカーペットを支配するユーザーから一時的に預り回収し、必要に応じて厚み減少工程を経て得たカーペット層をつなぎ合わせて広幅長尺状のカーペット層を形成し、当該広幅長尺状のカーペット層面と未使用のカーペット原反を適宜の方法にて張り合わせて、所定の寸法に切り揃えて再生タイルカーペットを形成する工程から構成されている事を基本的な技術構成とするものであり、更には、所望により該工程を所定の期間経過後に反復繰り返す事を特徴とする本発明の施工済み且つ使用中のタイルカーペットの再生再使用システムを採用することによって解決する。
【００３２】
従来、産業廃棄物として扱われていた使用済みタイルカーペットをその有用性に着目し、有用性を発揮せしめる技術的裏づけを有する本発明の施工済み且つ使用中のタイルカーペットの再生再使用システムを採用することによって、産業廃棄物としての使用済みタイルカーペットは殆ど無くなり、社会的有用物になる。
【００３３】
本発明に於ける当該使用済みタイルカーペットは、当該カーペット原反と接合する以前に複数個の当該タイルカーペットを相互に接合してつなぎ合わせて広幅長尺状のタイルカーペット、つまりタイルカーペットシート層を形成せしめておき、当該広幅長尺状のタイルカーペットシート層と未使用のカーペット原反を適宜の方法にて張り合わせて、所定の寸法に切り揃えて再生タイルカーペットが形成できる。
【００３４】
つまり、本発明では、回収された使用済みのタイルカーペットが再生タイルカーペットのバッキング材として再び有用資材として社会的地位を与えられる。
【発明の効果】
【００３５】
（１）使用済みタイルカーペットを産業廃棄物として扱ってきたために、零細な事業者であるタイルカーペットの改装工事の施工業者は資格取得を義務付けられ、ユーザーは廃棄物処理費として余分な費用負担を余儀なくされていたが、本発明の施工済み且つ使用中のタイルカーペットの再生再使用システムを採用することによってそのような問題から開放される。
【００３６】
（２）本発明は、上記の様な技術構成を採用しているので、従来、産業廃棄物として扱われ厳しい法の規制の下にあった使用済みタイルカーペットをその有用性に着目し、有用性を発揮させる技術的裏づけを有する本発明の施工済み且つ使用中のタイルカーペットの再生再使用システムを採用することによって、産業廃棄物としての使用済みタイルカーペットは殆ど無くなり、社会的有用物になる。
【００３７】
（３）本発明の施工済み且つ使用中のタイルカーペットの再生再使用システムを採用することによって得られた再生タイルカーペットは重量比で５０％の使用済みタイルカーペット由来のバッキング材を含有する。従って、役所等公的機関の調達材料に求められているマーケット由来のリサイクル品の含有率基準にも充分適合する。又、ＩＳＯ１４０００が求める産業廃棄物を排出しないと言う環境改善基準をも満たすものであるので商品としても、バージン原料由来の従来品以上の商品価値が現出でき有利販売が可能である。
【００３８】
（４）使用済みタイルカーペットの塩化ビニルバッキング層は当該使用済みタイルカーペットから分離回収された後、再生する工場を有する企業において他の床材の裏打ち材として再利用ができるので、タイルカーペットを構成するカーペット層共々産業廃棄物となるものが無くなる。
【００３９】
（５）タイルカーペットを構成するカーペット層と塩化ビニルバッキング層が双方とも有用な資材として再利用され、且つ本発明の施工済み且つ使用中のタイルカーペットの再生再使用システムを採用することによって、施工済み且つ使用中のタイルカーペットの剥離から再生タイルカーペットの施工にいたる全ての工程において有効で且つ適法な工程を構築することが出来れば、タイルカーペット由来の産業廃棄物は殆どゼロとなりゼロエミッションの実現に限りなく近づくことができる
【００４０】
（６）上記したとおり、従来技術は、タイルカーペットを構成するカーペット層を削り取り、当該タイルカーペットの塩化ビニルバッキング層のみを再生タイルカーペットのバッキング層として新しいカーペット層に添着させるものであるから、削り採った繊維の屑が大量に発生し、公害の問題が懸念されると共に、その廃棄方法にも特別の配慮が必要である。
【００４１】
これに対し、本発明に於いては、使用済みタイルカーペットのカーペット層を再生タイルカーペットのバッキング層として使用することにより、カーペット層も塩化ビニル裏打ち層もそれぞれに再利用しようと言う基本的な技術思想としており、第１の具体例では、使用済みのタイルカーペットそのものを再生タイルカーペットのバッキング層として使用する他、使用済みのタイルカーペットから当該タイルカーペットを構成するカーペット層と塩化ビニルバッキング層を分離して当該カーペット層を再生タイルカーペットのバッキング層として使用すると共に、当該分離された塩化ビニルバッキング層は、適宜の再生処理を施して、別のカーペットやその他の床材等のバッキング層に使用する事が出来るので、本発明の処理工程から廃材は実質的に発生しないと言う効果がある。この方法は特開２００４−１６８０２３号公報に開示されているようにタイルカーペットを形状のまま塩化ビニル裏打ち材とカーペット層に剥離・分離する技術によって始めて可能になったものである。
【００４２】
又、本発明に於いては、使用済みのタイルカーペット或いはバッキング層と分離されたカーペット層を新たなカーペット原反と裏―裏あわせにより接合すれば、両面がパイル層で構成された再生タイルカーペットが得られることから、クッション性が極めて大きく、遮音、防音効果に優れ、加圧処理することにより厚みも容易に調整でき、保温性、通気性、にも優れている他、床材と例えば、面ファスナーによる接着方式（フック部を有する面状接合材等）を使用して容易に施工、取り外しを実行できると言う利点がある。
【発明を実施するための最良の形態】
【００４３】
以下に、本発明に係るタイルカーペットの再生再使用システムの具体例の構成を実施例として挙げて本発明を説明するが、本発明はこれにより何ら限定されるものではない。
【００４４】
即ち、図１は、本発明に係るタイルカーペットの再生再使用システムに関する一具体例の構成を示すフローチャートであり、図中、タイルカーペットの施工業者が、タイルカーペットの再生再使用に関して所定の契約を締結しているタイルカーペットのユーザーもしくはオーナーの支配下にある適宜の床下地から、施工済み且つ使用中のタイルカーペットを剥離する第１の工程（Ｓ１）、
【００４５】
当該ユーザーもしくはオーナーの支配下にある当該床下地から、剥離した施工済み且つ使用中の当該タイルカーペットを当該ユーザーもしくはオーナーから一時的に預かり回収して、当該タイルカーペットの施工業者と所定の契約を有するタイルカーペット再生工場に搬入する第２の工程（Ｓ２）、
【００４６】
当該預かり回収した当該使用済みの複数個のタイルカーペットを洗浄するかしないで、当該タイルカーペットのカーペット層面或いはバッキング層面の何れかの表面に、当該タイルカーペットのサイズを上回る大きさのカーペット原反の、カーペット層が形成されている面とは反対側の面（以下単に原反裏面という）を張り付けた後、適宜の方法で所定の寸法に切りそろえて再生タイルカーペットを形成する第３の工程（Ｓ３）、
【００４７】
当該再生タイルカーペットを、当該ユーザー若しくはオーナーが指定する場所に返送搬入する第４の工程（Ｓ４）、
当該ユーザー若しくはオーナーが指定する適宜の床下地面に当該再生タイルカーペットの当該新しいカーペット層面が表面となる様に、当該再生タイルカーペットを配置施工する第５の工程（Ｓ５）、
【００４８】
当該第５工程後は、所望により、或いは必要に応じて、所定の期間経過後或いは当該所定の期間経過後毎に、上記第１から第５の各工程が繰り返される第６の工程（Ｓ６）とから構成されているタイルカーペットの再生再使用システムが示されている。
【００４９】
上記具体例に於ける第１と第２の工程に於いて、当該タイルカーペットの施工業者が所定の契約を締結しているユーザーの適宜の床下地から剥離して回収した施工されて且つ使用中のタイルカーペットが、使用済みタイルカーペットとして再生処理工場に搬送される。
【００５０】
当該タイルカーペットの施工業者が締結している所定の契約とは、ユーザー若しくはオーナーとタイルカーペット再生工場を有する再生加工業者とタイルカーペットの施工業者との三社間で締結される契約であって、例えば、再生加工業者が、ユーザーもしくはオーナーの床下地から施工済み且つ使用中の当該タイルカーペットを剥離しこれを一時的に預かり回収する工程、再生加工業者が預かり回収した当該タイルカーペットをタイルカーペット再生工場に搬入して再生タイルカーペットを製造する工程、タイルカーペットの施工業者が当該再生タイルカーペットをユーザー若しくはオーナーが指定する床下地面に配置施工する工程等の手順を規定した内容とすることが出来る。
【００５１】
更には、施工後のメンテナンスにつき、月次、年次、模様替え時の床更新につき契約されている内容であっても良く、更には５年毎の大型改装工事につきその都度、３契約当事者間で今後の方針につき協議することが記載されているものであっても良い。
【００５２】
その時の使用済みタイルカーペット１は、一般的には、カーペット層２とバッキング層３とから構成されており、その断面図の一例が図６（Ａ）に示されている。
本発明に於いては、図６（Ａ）に示されている様に、当該カーペット層２と当該バッキング層３が一体化されている状態の回収された使用済みタイルカーペット１をそのまま使用するものであっても良く、或いは、図６（Ｂ）に示されている様に当該タイルカーペット１から当該バッキング層３の一部或いは全部を剥離若しくは除去した構造で、適宜の基布６６の一方の面にパイル糸からなるカーペット層２が形成され、当該基布６６の裏面には、当該バッキング層３が残留し当該基布６６と当該パイル糸を結合している樹脂成分からなる繊維結合層４を有する繊維形成材料層１０を使用するもので有っても良い。
【００５３】
つまり、図６（Ｂ）中、４は、剥離或いは除去処理後の当該カーペット層２の裏面に残存している塩ビ等の合成樹脂成分で構成されているものである。
次に、本発明の上記具体例に於ける第３の工程に於いては、当該回収した複数個の施工済み且つ使用中のタイルカーペット１を複数個相互に隣接して配列し、二次元的平面を形成する広幅長尺状のタイルカーペットシート層１５を形成するものであってもよい。
【００５４】
この場合、当該複数個のタイルカーペット１は、相互に接合せずにそのまま隣接配置するものであっても良く、好ましくは、図７に示す様な、適宜の補強シートを介して二次元的平面を形成する広幅長尺状のタイルカーペットシート層１５を形成したものであってもよく、更には、当該複数個の使用済みタイルカーペットの端部１１同士を互いに当接させた後、当該当接部を逢着、接着、融着等の適宜の固着手段１２にてつなぎ合わせ、広幅長尺状のカーペット層であるタイルカーペットシート層１５を形成するものであってもよい。
【００５５】
本発明に於いて、当該回収された使用済みのタイルカーペット１或は当該回収された使用済みのタイルカーペット１から形成された当該広幅長尺状のタイルカーペットシート層１５は、洗浄処理したものであっても良く、或は洗浄しないでものであっても良い。
【００５６】
本発明に於ける上記具体例に於いては、当該使用済みのタイルカーペット１は、当該バッキング層３の全部或いは少なくともその一部を剥離させるか或いは除去させることなく、そのまま複数個を上記と同様の方法で相互に接合させて使用する事が出来る。
【００５７】
図７（Ａ）は、バッキング層３が全部若しくは少なくとも一部が残されている当該回収された使用済みのタイルカーペット１が複数個二次元的に配列され、それぞれの当該タイルカーペット１の端部同士１１が当接された状態で、適宜の接合手段１２により図７（Ｃ）に示す様な相互に接合されて広幅で且つ長尺状の使用済みタイルカーペット１５が得ら
る事を示している。
【００５８】
本発明に於ける当該使用済みタイルカーペット１が、図６（Ｂ）に示されている様に当該タイルカーペット１から当該バッキング層３の一部或いは全部を剥離若しくは除去した構造の繊維形成材料層１０を使用して図７（Ｂ）に示す様な広幅長尺状の繊維形成材料層シート層１５’に形成される事も可能であることは、言うまでもない。
【００５９】
本発明に於いては、上記の様に回収された使用済みのタイルカーペット１或いはそのバッキング層３を除去して、カーペット層２のみからなる繊維形成材料層１０を必要により適宜の洗浄装置を使用して洗浄処理するか、洗浄処理せずに、図７（Ｃ）に示す様に、複数個の当該タイルカーペット１或いは繊維形成材料層１０を適宜接合処理して広幅長尺状のタイルカーペットシート層１５或いは繊維形成材料層シート層１５’を形成した後に当該シート層１５又は、１５’を適宜の洗浄装置を使用して洗浄処理するか洗浄処理することなしに、実行するようにしても良い。
【００６０】
次に、本発明の上記具体例に於ける第３の工程（Ｓ３）に於いては，当該広幅長尺状のタイルカーペットシート層１５或いは繊維形成材料層シート層１５’を未使用のカーペット原反２０と適宜の方法にて張り合わせるものである。
【００６１】
本発明に於いて使用される当該未使用のカーペット原反２０は、通常のカーペット層で構成されており、バッキング層３は形成されていない。
即ち、図８（Ａ）に示す様に、当該未使用のカーペット原反２０と当該接合処理した広幅長尺状タイルカーペットシート層１５或は当該繊維形成材料層シート層１５’とを適宜の接合手段を使用して張り合わせるものであり、当該接合手段としては、特に限定されるものではないが、両者間に適宜のフィルム或いは補助シートを介在させるか介在させないで、公知の接着剤を使用するか、公知の逢着、融着手段又は両面粘着テープ等を使用することが可能である。
【００６２】
当該両者の接合方法としては、図８（Ｂ）に示す様に、当該未使用のカーペット原反２０の裏面２０−１に当該接合処理した広幅長尺状のタイルカーペットシート層１５のカーペット層２を対向させて接合するものであっても良く、又図８（Ｃ）に示す様に、当該未使用のカーペット原反２０の裏面２０−１に当該接合処理した広幅長尺状のタイルカーペットシート層１のバッキング層３を対向させて接合するものであっても良い。
【００６３】
一方、他の具体例としては、図８（Ｄ）に示す様に、当該未使用のカーペット原反２０の裏面２０−１に当該接合処理した広幅長尺状の繊維形成材料層シート層１５’のカーペット層２を対向させて接合するものであっても良い。
【００６４】
又、別の具体例としては、図８（Ｅ）に示す様に、当該未使用のカーペット原反２０の裏面２０−１に当該接合処理した広幅長尺状の繊維形成材料層シート層１５’の繊維結合部４を対向させて接合するものであっても良い。
【００６５】
尚、図８（Ｂ）〜図８（Ｅ）に示される符号７２〜７９は、上記方法で製造された再生該タイルカーペット材料から適宜の方法で切り揃えて再生タイルカーペット３０を得る際の切断線を示している。
【００６６】
つまり、本発明の別の具体例では、図２に示す様に、当該上記具体例に於ける当該第３の工程に於いて、回収した施工済み且つ使用中の当該タイルカーペットを適宜の方法にてつなぎ合わせ、広幅長尺状のタイルカーペットシート層１５を形成する第３−１の工程と当該広幅長尺状のタイルカーペットシート層１５のカーペット層面２或いはバッキング層面３の何れかの表面に、当該カーペット原反のカーペット層の原反裏面を張り付けた後、適宜の方法で所定の寸法に切りそろえて再生タイルカーペットを形成する第３−２の工程とから構成されているものであっても良い。
【００６７】
係る処理によって、回収された使用済みのタイルカーペットが新しい表面層を形成するカーペット原反２０のカーペット層２の裏面にバッキング層として活用されることになる。
【００６８】
本発明に於いては、上記の様に形成された広幅長尺状のタイルカーペットシート層１５と未使用のカーペット層の原反裏面を張り合わせたものを未使用のカーペット層を適宜の裁断方法を利用して一般的な寸法を有するタイルカーペットの大きさに切り揃えて、複数個の新しいタイルカーペット３０を形成する。
【００６９】
又、本発明に於いて、広幅長尺状のカーペット層を形成する方法としては、例えば、当該タイルカーペット１或いは当該タイルカーペット１のバッキング層３を除去して得たカーペット層２の隣接する縁端部同士を適宜の補強シートを介すか介さずに、適宜の接着剤を使用するか、粘着材を使用するか、両面粘着テープを使用するか、熱融着処理するか、縫合処理するか、内蔵する金属箔を誘導過熱することによって加熱処理するか、誘電過熱あるいは超音波加工することによって広幅長尺状のカーペット層を形成するものであることが望ましい。
【００７０】
本発明に於いて形成される再生タイルカーペット３０の代表的な構成の具体例を図９（Ａ）乃至図９（Ｆ）に示す。
即ち、図９（Ａ）は、本発明に係る再生カーペットの再使用システムを一回実行した場合に於いて得られた当該再生タイルカーペット３０の構成例を示すものであり、図９（Ａ）に示す様に、当該再生タイルカーペット３０は、カーペット原反２０の裏面２０−１に、使用済みのタイルカーペット１からバッキング層３を除去して得られた広幅長尺状の繊維形成材料層１０或いは当該繊維形成材料層１０を複数個連続して形成した広幅長尺状の繊維形成材料層シート層１５’の繊維結合層面４が接合されて形成された構造を有している。
【００７１】
本具体例に於いては、上記した広幅長尺状の再生タイルカーペットを適宜の裁断方法を利用して一般的な寸法を有するタイルカーペットの大きさに切り揃えて、複数個の新しい再生タイルカーペット３０を形成する。
一方、除去した塩化ビニルバッキング層は再生する工場において他の床材の裏打ち材として再利用ができる。
【００７２】
本発明に於ける当該再生タイルカーペット３０に有っては、当該カーペット原反２０の裏面２０−１に接合されるのは、図９（Ｂ）に示す様に当該タイルカーペット１若しくは当該タイルカーペット１を複数個連続して形成した広幅長尺状のタイルカーペットシート層１５のバッキング層３の面若しくはカーペット層２の面の何れかが接合されて形成された構造を有しているものであっても良い。
【００７３】
又、図９（Ｃ）及び図９（Ｄ）は、本発明に係る再生カーペットの再使用システムを二回実行した場合に於いて得られた当該再生タイルカーペット３０’の構成の例を示すものであり、図９（Ｃ）に示す様に、新たなカーペット原反２０’の裏面２０−１に、使用済みの図９（Ａ）に示された再生タイルカーペット３０を構成する当該繊維形成材料層１０或いは当該繊維形成材料層シート層１５’のカーペット層２の面が接合されているものであり、当該新たなカーペット原反２０’とは反対側の面は、前記した使用済みの再生タイルカーペット３０の、先のサイクル時にカーペット原反２０から切り出されたカーペット層４０（以下単にカーペット層体と言う）のカーペット層面で構成されている。
【００７４】
勿論、当該再生タイルカーペット３０’の他の具体例の構成としては、図９（Ｄ）に示す様に、当該新たなカーペット原反２０’の裏面２０−１に接合されるものは、前記した使用済みの再生タイルカーペット３０のカーペット層体４０のカーペット層面であってもよく、更には当該再生タイルカーペット３０を構成している当該タイルカーペット１若しくは当該タイルカーペットシート層１５のカーペット層２の面が接合されて形成された構造を有しているものであっても良い。
【００７５】
本具体例に於いては、上記した広幅長尺状の再生タイルカーペット３０’を適宜の裁断方法を利用して一般的な寸法を有するタイルカーペットの大きさに切り揃えて、複数個の新しい再生タイルカーペット３０を形成したものとなる。
当該偶数巡目おける未使用のカーペット原反２０’の裏面２０−１に直前のサイクルに使用された再生タイルカーペット３０を接合するに際しては、次のサイクルにおいて剥離工程を容易ならしめるために両面粘着テープ若しくは基材のない両面粘着テープの粘着材が好ましく用いられる。
【００７６】
本具体例に於いて、場合によっては、使用済みバッキング層からなる使用済みバッキング層或いはカーペット層が裏々合わせで張り合わされたもの５０が副産物として発生する。
当該使用済みバッキング層５０は次のサイクルにおいて再生タイルカーペットのバッキング材として用いても良く、屋上緑化の防水層の保護材とか芝生の植え床等の土木材としても有用な産業資材となるものである。
【００７７】
尚、図８（Ｅ）に示す再生タイルカーペット、つまり図９（Ａ）で示す１巡目で得られた再生タイルカーペット３０を２巡目に於いて、バッキング層として使用されていた繊維形成層１０或いは１５’を適宜の方法で剥がし取り、カーペット層２０を２巡目のバッキング層として使用することも可能であり、この場合には、２巡目から副産物が発生することになる。
【００７８】
次に、本発明に係る再生カーペットの再使用システムを三回（３巡目）実行した場合に於いて得られた当該再生タイルカーペット３０”の構成の具体例を、製造方法の一例と合わせて図９（Ｅ）に示す。
【００７９】
本発明に於いて、上記した本発明に係る再生カーペットの再使用システムを三回実行した場合には、図９（Ｃ）或いは図９（Ｄ）に示された２巡目で得られた再生タイルカーペット３０’のカーペット層２０’とバッキング層として機能している図９（Ａ）或いは（Ｂ）に示す様な１巡目で得られた元の再生タイルカーペット３０とを適宜の手段を利用して分離させ、図９（Ｅ）の（２）に示すカーペット層体２０’（４０’）及び同図（４）に示す様な使用済みバッキング層５０にそれぞれ分離した後に、図９（Ｅ）の（３）に示す様に、当該カーペット層体４０’の裏面に新しいカーペット原反２０”の裏面を接合する事によって再生タイルカーペット３０”が得られるのである。
【００８０】
尚、図９（Ｅ）の（４）に示す様な使用済みバッキング層５０は、上記した様に別の用途に使用されるものである。
本具体例に於ける図９（Ｅ）の（３）で示される３巡目で得られる本発明の再生カーペット３０”は、２層で構成されるので、その点で同じ２層構造である図９（Ａ）或いは（Ｂ）に示す様な１巡目で得られた再生タイルカーペット３０と同じ構成を持つ。
【００８１】
次に、本発明に係る再生カーペットの再生使用システムを四回実行した場合（つまり４巡目）に於いて得られた当該再生タイルカーペット３０”’の構成の具体例を、製造方法の一例と合わせて図９（Ｆ）に示す。
【００８２】
本発明に於いて、上記した本発明に係る再生カーペットの再使用システムを四回実行した場合には、図９（Ｅ）の（３）に示された再生タイルカーペット３０”の何れかの面に別のカーペット原反２０”’を接合させたものである。
【００８３】
具体的には、好ましくは、図９（Ｅ）の（３）に示された当該再生タイルカーペット３０”を必要に応じて適宜圧縮処理を行ってその厚みを適宜調整した後、図９（Ｆ）の（３）に示された再生タイルカーペット３０”のバッキング層として機能しているカーペット層体４０’を新しいカーペット原反２０”’の裏面に接合させたものである。
【００８４】
本具体例に於ける図９（Ｆ）で示される４巡目で得られる本発明の再生カーペット３０”’は、３層で構成されるので、その点で同じ３層構造である図９（Ｃ）或いは（Ｄ）に示す様な２巡目で得られた再生タイルカーペット３０’と同じ構成を持つ。
【００８５】
尚、図９（Ｅ）及び図９（Ｆ）の具体例では、タイルカーペットとして繊維形成材料層１０及び繊維形成材料層シート層１５’を使用する例を示したが、本具体例では、バッキング層３とカーペット層２を有するタイルカーペット３或いはタイルカーペットシート層１５を使用することも可能である事は言うまでも無い。
【００８６】
又、図９に示されている、Ｐ１からＰ５は、使用済みのタイルカーペットを相互に接続して広幅長尺状の再生カーペット層を形成させる際に隣接するそれぞれの再生タイルカーペット間に形成される当接筋である。
【００８７】
本発明に於いては、この様にして形成された当該再生タイルカーペット３０を、当該ユーザーが指定する場所に返送搬入し、当該ユーザーが指定する適宜の床下地面、多くの場合には、前記した第１の工程に於いて使用中に床下地から剥離した当該再生タイルカーペットが存在した場所に、その当該新しいタイルカーペット３０のカーペット層面２が表面となる様に、当該再生タイルカーペット３０を配置施工するものである。
【００８８】
本発明に於ける、当該再生タイルカーペット３０を前記ユーザーの指定する場所に搬入する当該第４の工程の後の当該第５の工程に於いて、当該再生タイルカーペット３０が前記ユーザーの指定する場所の面積に及ばない場合には、にあらかじめ用意した再生タイルカーペットを併用して施工することが可能である。
【００８９】
再生タイルカーペットは改装工事にのみ使われる。従って、当然建物は既に出来ていてチリもドアチリも既に決まっている。ここに使われる床材であるから、再生タイルカーペットの厚さは既存に合わせる若しくは施主の要望に合わせる以外に選択は許されない。従って、当該使用済みタイルカーペットの再生処理工程での厚みを調節する処理が必要となる。
【００９０】
即ち、当該再生タイルカーペットを形成する工程には、更に当該ユーザーから一時的に預かり回収した当該使用済のタイルカーペットの厚みを減少させる厚み減少工程が含まれている事が望ましく、より具体的には、当該厚み減少工程は、当該再生されたタイルカーペットの厚みと当該ユーザーが指定する適宜の床下地面からの許容される高さとから、当該再生タイルカーペットが許容される厚みを勘案して、その高さを調整する工程を含んでいる事が好ましい態様である。
【００９１】
本発明に於ける当該厚み減少工程としては、具体的には、当該使用済のタイルカーペット１或は当該タイルカーペットシート層１５の当該カーペット層２の厚みを圧縮させるか、塩ビ等の合成樹脂からなる当該バッキング層３の一部或いは全部を除去或いは剥離させることによって実現出来る。
【００９２】
図１０に示す様に、第１から第６の各工程を所定回数繰り返すことによって形成される当該再生タイルカーペット３０の厚みが、ドアチリ部８６の厚みを超えない様な条件であることが必要である。
チリは一般的に仕上げ面の境界における段差を指すと定義されている。
【００９３】
図１０に示す様に、コンクリートスラブ等からなる床下地８７上に適宜の接着剤等を介してタイルカーペット、或いはカーペット等の床仕上げ材８４が配置されると同時に、ドア部８１が対応する当該床下地８７の表面部分にチリ部８５が設けられており、当該チリ部８５のドア部８１が開閉する方向に面する端部にドアチリ部８６が設けられている。
【００９４】
そして、一般的には、当該ドアチリ部８６の高さは、当該床仕上げ材８４の厚みと略同一となるように設定される。
そして、当該チリ（若しくはドア・チリ）は、床仕上げ厚さに等しいかそれ以上であることが望ましい。
床仕上げ材厚さがチリ（若しくはドア・チリ）を超えると
（１）チリの場合は蹴躓く。
（２）ドア・チリの場合はドアが開かなくなる。
本発明の場合はタイルカーペットであるから、若干（２ｍｍまで）厚くても許容されるが、ドアが擦っている状態であり長期にはカーペット層が磨耗して見苦しくなる。
【００９５】
床仕上げ材厚さはチリ（若しくはドア・チリ）に出来るだけ近いことが望ましい。
著しく薄いと歩行者は段差を感じ、タタラを踏む。
上記した説明から明らかな様に、本発明に於ける再生タイルカーペットの製造工程に於いては、当該再生タイルカーペットの厚みが重要な要件となることから、再生されるタイルカーペットの厚みを減少させる工程が必要である。
以下に本発明に於いて使用可能な厚み減少工程に付いて説明する。
【００９６】
本発明に於ける、当該厚み減少工程は、当該再生されたタイルカーペット３０の厚みと当該ユーザーが指定する適宜の床下地面からの許容される高さとから、当該再生タイルカーペットが許容される厚みを勘案して、その高さを調整する工程を含んでいる事が望ましく、より具体的には、当該厚み減少工程は、タイルカーペットのバッキング層を除去する方法であって、且つ当該バッキング層の除去方法が回転差を有する一対のロールの隙間をタイルカーペットの塩化ビニル裏打ち層の厚さ以下に絞り、加熱したタイルカーペットを、該一対のロールのうち早い方のロール側に塩化ビニル裏打ち層が来るようにして前記隙間に通すことにより、カーペット層と塩化ビニル裏打ち層の境界面に層間のずれを生じさせ、塩化ビニル裏打ち層の剥離を起こさせ、タイルカーペットから塩化ビニル裏打ち層の適宜の厚みの層を分離する方法である。
【００９７】
より具体的には、図１１に示す様な装置を使用して層間剥離を発生させることによってタイルカーペットから塩化ビニル裏打ち層を分離させることも可能である。
ここで、図１１に示す厚み減少工程を詳細に説明するならば、図１１に示す様に、タイルカーペット１のバッキング層３の少なくとも一部を除去する方法であって、回転差を有する一対のロール２１，２２の隙間２３をタイルカーペットの塩化ビニル裏打ち層３の厚さ以下に絞り、加熱したタイルカーペット１を、該一対のロールのうち早い方のロール側２２にバッキング層３が来るようにして前記隙間２３に通すことにより、カーペット層２とバッキング層３の境界面に層間のずれを生じさせ、剥離が発生するタイルカーペット１から塩化ビニル裏打ち層３を分離する方法である事が望ましい。
【００９８】
更に、本発明に於ける当該厚み減少工程の他の具体例としては、図１２（Ａ）に示す様に、スクレーパーブレード６００を使用して、該バッキング層３を適宜の厚みだけ、削り取ることによってタイルカーペット１から当該バッキング層３の少なくとも一部を分離する方法であっても良く、或は、図１２（Ｂ）に示す様に、例えば、プレーナー６０１を使用して該バッキング層３を適宜の厚みだけ、削り取ることによってタイルカーペット１から当該バッキング層３の少なくとも一部を分離する方法であっても良く、更に別の具体例としては、図１２（Ｃ）に示す様に、バンドナイフスプリッター６０２を使用することによって、基布６６に植毛されたパイル６２からなるカーペット層２と当該バッキング層３の一部或はカーペット層２と当該バッキング層３との境界をスライスすることによってタイルカーペットから当該バッキング層３の少なくとも一部を分離する方法であっても良い。
【００９９】
一方、本発明に於ける当該厚み減少工程の更に他の具体例としては、当該広幅長尺状に形成されたタイルカーペットシート層或は繊維形成材料層シート層を形成するに際して、補強シートを介して当該広幅長尺状層を形成する場合には、当該補強シートの厚みを調整する様に構成したものであっても良く、或は、当該回収された使用済みのタイルカーペットから、当該バッキング層を剥離分離するに際して、当該バッキング層の剥離厚さを調整する様に構成したものであっても良い。
【０１００】
本発明に於けるタイルカーペットの厚み減少方法は、上記した様に、タイルカーペット１を構成するバッキング層３を除去するか当該バッキング層３の厚みを所定の厚みだけ切除、研削する方法或いは当該再生タイルカーペットを加熱圧縮する方法のみではなく、再生タイルカーペットのバッキング層として使用されている元の再生タイルカーペット３０、３０’、３０”を再生タイルカーペット３０’、３０”、３０”’からそれぞれ分離除去する場合も含むものである。
【０１０１】
又、本発明に於ける当該厚み減少工程は、当該回収された使用済みのタイルカーペット或は、当該繊維形成材料層を構成するカーペット層を加熱加圧処理を介してその厚みを調整する様に構成してものであっても良い。
【０１０２】
つまり、当該厚み減少工程は、例えば、剥離分離したカーペット層を１５０℃〜２００℃に加熱し、当該カーペット層の厚さより少ない間隙に絞ったロールの間を通過させることにより、カーペット層を圧縮して厚さを減少する方法或いは、剥離分離したカーペット層を１５０℃〜２００℃に加熱し、当該カーペットをプレスすることにより、カーペット層を圧縮して厚さを減少する方法である。
【０１０３】
本発明に於ける厚み減少工程を実現させる別の処理方法の具体例を図１３及び図１４を参照しながら詳細に説明する。
本発明に於ける当該厚み減少工程のカーペット層を加熱加圧処理は殆どのカーペット層を構成する熱可塑性樹脂の特性を利用して、加熱して圧縮セットする原理を採用している。
【０１０４】
具体的には図１３に示すように厚み減少を施そうとするタイルカーペット１或は繊維形成材料層１０若しくはタイルカーペットシート層１５或は繊維形成材料層シート層１５’を回転するコンベア２６で搬送し、その途中で熱風送風機２５を内蔵する熱風加熱炉２４で１４０℃〜２００℃に加熱する。回転するスチールベルトコンベア２６はその後、２０℃〜８０℃に温度調節された冷プレス２７を通過し、圧縮セットされる。
【０１０５】
本発明に於ける当該厚み減少工程の他の具体例は、殆どのカーペット層を構成する熱可塑性樹脂の特性を利用して、加熱して圧縮セットする原理同じであるが、図１４に示すように厚み減少を施そうとするタイルカーペット１或は繊維形成材料層１０若しくはタイルカーペットシート層１５或は繊維形成材料層シート層１５’を回転するコンベア２６で搬送し、その途中で熱風送風機２５を内蔵する熱風加熱炉２４で１４０℃〜２００℃に加熱する。加熱搬送されたイルカーペット１或は繊維形成材料層１０若しくはタイルカーペットシート層１５或は繊維形成材料層シート層１５’はシュート２９を通って、２０℃〜８０℃に温度調節された一対のロールを通過して圧縮セットされる。
【０１０６】
図１３の加熱加圧工程処理は主としてタイルカーペット１或は繊維形成材料層１０に、図１４の加熱加圧工程処理は主としてタイルカーペットシート層１５或は繊維形成材料層シート層１５’に好ましく利用される。
【０１０７】
熱風加熱炉２４で１４０℃〜２００℃に加熱するのはカーペット層を構成する熱可塑性樹脂の特性を引き出す為であり、１４０℃以下ではカーペット層が充分加熱されず後工程の圧縮セットが充分に行われない、一方２００℃を越えると繊維によっては溶け出してしまう物もあり目的を達成できない。
【０１０８】
圧縮セット工程で２０℃〜８０℃に温度調節するのは２０℃以下では工業用水の温度をチラーマシン等で冷却しなくてはならず余分のコストが発生する。８０℃以上では温度が高すぎて充分なセットが行われない危険がある。
【０１０９】
本発明に於ける当該タイルカーペットの再生再使用システムの更に他の具体例としては、図３に示す様に、タイルカーペットの施工業者が、タイルカーペットの再生再使用に関して所定の契約を締結しているタイルカーペットのユーザーもしくはオーナーの支配下にある適宜の床下地から、施工済み且つ使用中のタイルカーペット１を剥離する第１１の工程（Ｓ１１）、
【０１１０】
当該ユーザーもしくはオーナーの支配下にある当該床下地から、剥離した施工済み且つ使用中の当該タイルカーペット１を当該ユーザーもしくはオーナーから一時的に預かり回収して、当該タイルカーペットの施工業者と所定の契約を有するタイルカーペット再生工場に搬入する第１２の工程（Ｓ１２）、
【０１１１】
回収した施工済み且つ使用中の当該タイルカーペット１を洗浄するかしないで当該カーペット１のバッキング層３を除去する第１３の工程（Ｓ１３）、
当該バッキング層３を除去して得たカーペット層２を主体とする繊維形成材料層１０の当該カーペット層２面或いは当該カーペット層２が形成されている面とは反対側の裏面（以下単に繊維形成材料層裏面）の何れかの表面に、当該タイルカーペット１のサイズを上回る大きさのカーペット原反２０の、カーペット層２が形成されている面とは反対側の面（以下単に原反裏面）２１を張り付けた後、適宜の方法で所定の寸法に切りそろえて再生タイルカーペット３０を形成する第１４の工程（Ｓ１４）、
【０１１２】
当該再生タイルカーペット３０を、当該ユーザー若しくはオーナーが指定する場所に返送搬入する第１５の工程（Ｓ１５）
当該ユーザー若しくはオーナーが指定する適宜の床下地面に当該再生タイルカーペット３０の当該新しいカーペット層面２０が表面となる様に、当該再生タイルカーペット３０を配置施工する第１６の工程（Ｓ１６）、
【０１１３】
当該第１６工程後、更に所望によって、所定の期間経過後或いは当該所定の期間経過後毎に、上記第１１から第１６の各工程が繰り返される第１７の工程（Ｓ１７）、とから構成されているタイルカーペットの再生再使用システムである。
【０１１４】
本具体例に於ける基本的な技術構成は、上記した具体例と略同一であるが、異なる技術構成としては、図４に示す様に、回収された当該使用済みのタイルカーペット１のバッキング層３を予め分離除去して当該バッキング層３の無い繊維形成材料層１０を形成して、係る繊維形成材料層１０を当該カーペット原反２０に接合するものである。
【０１１５】
次に、本具体例に於いては、当該第１４の工程（Ｓ１４）に於いて、当該回収した使用済のタイルカーペット１のバッキング層３を除去して得た複数個の繊維形成材料層１０をそのまま隣接配列するか、それらを適宜の方法にてつなぎ合わせ、洗浄するか洗浄しないで、広幅長尺状の繊維形成材料層シート層１５’を形成するものである。
【０１１６】
即ち、本具体例に於ける当該第１４の工程（Ｓ１４）は、当該バッキング層３を除去して得た当該繊維形成材料層１０を適宜の方法にてつなぎ合わせ、広幅長尺状の繊維形成材料層シート層１５’を形成する第１４−１の工程と当該広幅長尺状の繊維形成材料層シート層１５’の当該カーペット層面２０或いは当該繊維形成材料層裏面４の何れかの表面に、当該カーペット原反２０、カーペット層の原反裏面２０−１を張り付けた後、適宜の方法で所定の寸法に切りそろえて再生タイルカーペットを形成する第１４−２の工程と、から構成されている事も好ましい具体例である。
【０１１７】
又、本具体例に於ける当該複数個の繊維形成材料層１０を相互に隣接配列し当該隣接部分を接続する方法は、前記具体例の方法と同じである。
又、本具体例に於いて形成される当該広幅長尺状の繊維形成材料層シート層１５’の構造の概略は、図７（Ｂ）に示されており、更に、本具体例に於ける第１４−２の工程に於いて形成される再生タイルカーペット３０の構成例は、図８（Ｄ）及び図８（Ｅ）に示す通りである。
【０１１８】
更に、本具体例によって製造されるタイルカーペット若しくは繊維形成材料層が単に隣接して配置されて当該当該広幅長尺状のタイルカーペット層１５、或は繊維形成材料層シート層１５’を用いた当該再生タイルカーペット３０の構成も実質的には図８（Ｄ）及び図８（Ｅ）に示す通りである。
【０１１９】
一方、本具体例としては、当該未使用のカーペット原反２０と当該繊維形成材料層シート層１５’との接合形態としては、図８（Ｄ）に示す様に、当該未使用のカーペット原反２０の裏面２０−１に当該接合処理した広幅長尺状の繊維形成材料層シート層１５’のカーペット層２を対向させて接合するものであっても良く、又、別の具体例としては、図８（Ｅ）に示す様に、当該未使用のカーペット原反２０の裏面２０−１に当該接合処理した広幅長尺状のタイルカーペット１５’の繊維結合層面４を対向させて接合するものであっても良い。
【０１２０】
尚、本発明に於いて、カーペット原反と再生カーペットとを次々に厚さを重ねていく方法は、既存のチリ若しくはドアチリとの関係で必ず行き詰まりを迎える。３巡目には２巡目の再生カーペット３０を剥さずにカーペットのバッキング層として用い、そのままカーペット原反を貼り付ける方法を採る事も出来るが、実用上では使用不可能なことが多く、従って３巡目以降は、当該使用済みの再生カーペット３０を、使用済みのタイルカーペットのカーペット層と、バッキング層とに分離させた後、分離後のカーペット層若しくはバッキング層を新たなバッキング層として使用し、カーペット原反２０と接合するものである。
【０１２１】
上記した工程に於ける当該バッキング層とは、塩化ビニル裏打ち層であっても良く若しくは、前サイクルで使用した再生タイルカーペット層であっても良く或いは、前サイクルで使用した当該再カーペットから分離されたカーペット層を含んでいる。
【０１２２】
本具体例に於いては、当該厚み減少工程は、使用済みのタイルカーペットのカーペット層と、塩化ビニル裏打ち層若しくは再生タイルカーペット層とを分離する工程は、当該使用済みのタイルカーペットを熱風若しくは加熱された液体内に浸漬する事により実行されるものであっても良く、或いは、当該使用済みのタイルカーペットを加熱した後、当該加熱された使用済みのタイルカーペットを移動中にその移動方向を急峻に変更する事により実行されるものであっても良い。
【０１２３】
その為に裏面にループ層を有する再生タイルカーペットを剥離しやすい方法として両面粘着テープ若しくは粘着剤による繊維形成材料層シート層とカーペット原反との接合が有効になるのである。
【０１２４】
又、本発明に於いて、上記具体例のいずれに於いても、当該広幅長尺状のタイルカーペット１５或いは当該広幅長尺状の繊維形成材料層シート層１５’に当該カーペット原反２０を接合した長尺状の再生タイルカーペット原反から所定の再生タイルカーペット３０を切り出すに際しては、当該広幅長尺状のタイルカーペット層１５或いは繊維形成材料層シート層１５’に形成された接合部１１の直線状部分と重ならない部分７２乃至７９で切り出しすることが望ましい。
【０１２５】
本発明に於いては、係る処理によって、回収された使用済みのタイルカーペットが新しい表面層を形成するカーペット層２の裏面にバッキング層として活用されることになる。
【０１２６】
本発明に於いては、上記の様に形成された未使用のカーペット層を適宜の裁断方法を利用して一般的な寸法を有するタイルカーペットの大きさに切り揃えて、複数個の新しいタイルカーペット３０を形成する。
そして、本発明に於いては、所望により上記した各工程が所定の期間経過後に、例えば１年乃至数年のインターバルを介して反復繰り返されるものである。
【０１２７】
本発明に於いては、この様にして形成された当該再生タイルカーペット３０を、当該ユーザーが指定する場所に返送搬入し、当該ユーザーが指定する適宜の床下地面、多くの場合には、前記した第１の工程に於いて使用中に床下地から剥離した当該再生タイルカーペットが存在した場所に、その当該新しいタイルカーペット３０のカーペット層面２が表面となる様に、当該再生タイルカーペット３０を配置施工するものである。
【０１２８】
そのために、前記した通り、本発明に於ける当該第３工程及び第１４の工程に於いては、当該使用済みのタイルカーペットを当該新しいタイルカーペットのバッキング層として使用する場合には、当該第６工程又は当該第１７の工程で必要とされる以後の繰り返し利用に活用できる為に、当該使用済みタイルカーペットの再生処理工程での厚みを制限する処理が必要となる。
【０１２９】
つまり、本発明に於いては、上記した様に、当該再生タイルカーペット３０を形成する工程には、更に当該ユーザーから一時的に預かり回収した当該使用済のタイルカーペット１５の厚みを減少させる厚み減少工程が含まれている事が望ましい。
【０１３０】
更に、本発明に於ける更に別の具体例としては、上記各具体例に於いて当該回収した使用済みのタイルカーペットのカーペット層面或いはバッキング層面の何れかの表面に広幅長尺状の未使用のカーペット原反２０を接合するものであったが、本具体例では、当該回収した使用済みのタイルカーペットのカーペット層面或いはバッキング層面の何れかの表面にタイルカーペットサイズを有するカーペット原反から切り出したカーペット層を張り付けて再生タイルカーペットを形成することも可能である。
【０１３１】
本具体例に於ける操作手順としては、図５に示す様に、タイルカーペットの施工業者が、タイルカーペットの再生再使用に関して所定の契約を締結しているタイルカーペットのユーザー或はオーナーの支配下にある適宜の床下地から、施工済み且つ使用中のタイルカーペットを剥離する第３１の工程、
【０１３２】
ユーザー或はオーナーの支配下にある当該床下地から、剥離した当該施工済み且つ使用中のタイルカーペットを当該ユーザーから一時的に預かり回収して当該タイルカーペットの施工業者の支配するタイルカーペット再生工場に搬入する第３２の工程、
【０１３３】
当該回収したタイルカーペットのカーペット層面或いはバッキング層面の何れかの表面に未使用のタイルカーペットサイズを有するカーペット層若しくはバッキング層を有する未使用のタイルカーペットのカーペット層面或いはバッキング層面の何れかを張り付けて再生タイルカーペットを形成する第３３の工程、
【０１３４】
当該再生タイルカーペットを、当該ユーザーが指定する場所に返送搬入する第３４の工程、
当該ユーザーが指定する適宜の床下地面に当該再生タイルカーペットの当該新しいカーペット層面が表面となる様に、当該再生タイルカーペットを配置施工する第３５の工程、
【０１３５】
当該第３５の工程後、所定の期間経過後或いは当該所定の期間経過後、更に所望によって、上記第３１から第３５の各工程が繰り返される第３６の工程、
とから構成されているタイルカーペットの再生再使用システムである。
【０１３６】
本発明に於いては、本発明に係る当該システムを繰り返している間に、カーペット層同士を裏々合わせで張り合わせた使用済みのバッキング層が余ってくる。このバッキング層には当接若しくは接合したときの筋が１順につき縦横一本ずつ発生する。当該システムの特定の巡目に於いて発生する余ったカーペット層同士を裏々合わせで張り合わせた使用済みのバッキング層はすでに前の巡目に於いて役目を果たしているので縦横二本ずつの当接筋がついている。この筋は再生タイルカーペットの表面に僅かな段差として現れ美観を損ねるものである。この上このバッキング層を利用すると当接筋は３本ずつとなり見苦しいので、このバッキング層は再生タイルカーペットへの利用を断念し、植え床他の土木資材に利用することが望ましい。
【０１３７】
更に当該バッキング層はバッキング層として使用するのではなく、例えば、所定の大きさの穴を複数個、間歇的に形成させ、水はけを向上させて、排水機構に使用するとか、人工芝或いは天然芝生の養生或いは、保持の為の補助材料として使用されるものでも良い。
【０１３８】
本発明に於いて当該再生タイルカーペットを再施工する場合には、再生タイルカーペットを再施工するには接着剤による通常の施工方法も可能であるが、再生タイルカーペットの裏面がループ状であることを利用して面状ファスナー（マジックテープ（商標）など）による施工も好ましく利用される。
【０１３９】
接着剤による通常の施工方法の場合は、床下地面が接着剤でベトベトになり、施工者や電気工事者の靴下や作業着を汚すほか、再生タイルカーペットの裏面がループ状であるために、そのループ面に接着剤が充満してしまい、本来のクッション性を損ない、再生タイルカーペットの再再度の再利用を不可能にする。
【０１４０】
ループ状であることを利用した面状ファスナーによる施工の場合には、床下地面が接着剤でベトベトにならないので、施工者や電気工事者の靴下や作業着を汚すことが無いほか、再生タイルカーペットの裏面がループ状であることによるクッション性を充分に生かすことが出来る上、再生タイルカーペットの再再度の再利用を可能にし、再利用しても廃棄物を出さないばかりか、裏面がループ状である再生タイルカーペットの裏面を再度バッキング材として次の再生利用に役立てることが出来るのである。
【実施例１】
【０１４１】
以下に、本発明に係る再生タイルカーペット及びタイルカーペットの再生再利用システムの具体例の詳細を説明する。
（１）オフィスビルのユーザーとタイルカーペットの施工業者とタイルカーペットの再生工場を有するメーカーが三社で契約し、ユーザーの支配下にあるオフィス１，０００平米のタイルカーペットをタイルカーペットの施工業者が剥し、
【０１４２】
（２）ユーザーから剥離した使用済み且つ使用中のタイルカーペットを預かり、契約の当事者の一社であるタイルカーペットの再生工場に搬入し、
（３）このオフィスから預かったタイルカーペットはカーペット層３．０ｍｍ、塩化ビニル裏打ち層５．０ｍｍ、総厚８．０ｍｍであり、そのためにこのオフィスではドアチリが９．０ミリに設定統一してあった。オフィスビルのユーザーの希望で今回の改装ではカーペット層の厚さを４．０ｍｍのものにしたいと言うことであったので、既存のドアチリに合わせる為には再生タイルカーペットはカーペット層の厚さを４．０ｍｍ、預かったタイルカーペット由来の裏打ち層の厚さ４．０ｍｍ、総厚８．０ｍｍになるよう厚さ減少工程を通して、預かったタイルカーペット由来の裏打ち層の厚さを４．０ｍｍに揃える必要があった。先ず、預かった施工済み且つ使用中のタイルカーペットを洗浄して汚れと埃を除去した後、速度差のある一対のロールの間隙をタイルカーペットの塩化ビニル裏打ち材の厚さ以下に設定して当該預かった施工済み且つ使用中のタイルカーペットを加熱して通過させ、押圧せん弾力を負荷させることによって、タイルカーペットの塩化ビニル裏打ち材を剥離させることとした。加熱したタイルカーペットを押圧せん弾力を負荷させることによって剥離を起こさせるタイルカーペットと塩化ビニル裏打ち材の分離回収方法においては、加熱温度が塩化ビニル裏打ち材の分離回収率に影響し、塩化ビニル裏打ち材の分離回収率は剥離されたカーペット層に残された塩化ビニル裏打ち材の厚さに影響することを利用して、このオフィスのドアチリに適合する残された塩化ビニル裏打ち材を含めた剥離されたカーペット層の厚さを決定するために加熱温度を１８０℃に設定し、もともとあった５．０ｍｍの塩化ビニル裏打ち層のうち４．０ｍｍを選択的に剥離して、総厚４．０ｍｍのカーペット層からなる裏打ち層を用意した。
【０１４３】
この塩化ビニル裏打ち材を剥離したカーペット層の縁端部を超音波加工によって相互につなぎ合わせ、幅１，０３０ｍｍで広幅長尺状のカーペット層シート層１５を形成した。
【０１４４】
（４）当該幅１，０３０ｍｍで広幅長尺状のカーペット層シート層１５と未使用のカーペット原反をお互いのループ層が外側に来るようにして、該未使用のカーペット原反の目止めに用いる塩化ビニルゾルを接着剤として用いて張り合わせ、５００角の寸法に切り揃えて再生タイルカーペットを形成し、
【０１４５】
（５）先に、タイルカーペットを当該タイルカーペットの施工業者が剥したユーザーの支配下にある１，０００平米のオフィスに返送搬入し、
（６）先に、タイルカーペットを当該タイルカーペットの施工業者が剥したユーザーの支配下にある１，０００平米のオフィスの床下地面に、当該再生タイルカーペットの当該新しいカーペット層面が表面となる様に、当該再生タイルカーペットを施工した。
【０１４６】
（７）オフィスビルのユーザーとタイルカーペットの施工業者とタイルカーペットの再生工場を有するメーカーとが契約した三社契約には、このオフィスのメンテナンス契約事項が含まれており、それには３ヶ月に一度の清掃メンテナンス、１年に一度の全床メンテナンス、５年に一度の大型メンテナンス、部屋のレイアウト変更時のメンテナンスが含まれていた。各メンテナンス時にオフィスビルのユーザーとタイルカーペットの施工業者とタイルカーペットの再生工場を有するメーカーが協議をして当該オフィス床のタイルカーペットの汚れ具合を勘案し、一部若しくは全部のタイルカーペット再生工事を入れるか使用継続かを決定し、上記工程を反復繰り返す条項が盛り込まれているが、５年に一度の大型メンテナンスに先立ち契約三社で協議の上、上記工程を反復繰り返す事とし全部のタイルカーペット再生工事を入れた。
【０１４７】
尚、タイルカーペットを当該タイルカーペットの施工業者が剥したユーザーの支配下にある１，０００平米のオフィスにおいて部屋のボーダー部は部屋の寸法に合わせて切り込まれており、その分だけタイルカーペットが不足するので、他のオフィスから剥しとったタイルカーペットから塩化ビニル裏打ち材を剥離したカーペット層を用いて（３）及び（４）の工程を経て形成した５００角の寸法に切り揃えた再生タイルカーペットと同時に返送搬入し、当該再生タイルカーペットとあわせて施工した。
【実施例２】
【０１４８】
（１）オフィスビルのユーザーとタイルカーペットの施工業者とタイルカーペットの再生工場を有するメーカーが三社で契約し、ユーザーの支配下にあるオフィス１，０００平米のタイルカーペットをタイルカーペットの施工業者が剥し、
（２）ユーザーから剥離した使用済み且つ使用中のタイルカーペットを預かり、契約の当事者の一社であるタイルカーペットの再生工場に搬入し、
【０１４９】
（３）このオフィスから預かったタイルカーペットはカーペット層７．０ｍｍ、塩化ビニル裏打ち層３．０ｍｍ、総厚１０．０ｍｍであり、そのためにこのオフィスではドアチリが１１．０ミリに設定統一してあった。オフィスビルのユーザーの希望で今回の改装でもカーペット層の厚さを７．０ｍｍのものにしたいと言うことであったので、既存のドアチリに合わせる為には再生タイルカーペットはカーペット層の厚さを７．０ｍｍ、預かったタイルカーペット由来の裏打ち層の厚さ３．５ｍｍ、総厚１０．５ｍｍになるよう厚さ減少工程を通して、預かったタイルカーペット由来の裏打ち層の厚さを３．５ｍｍに揃える必要があった。
【０１５０】
先ず、預かった施工済み且つ使用中のタイルカーペットを洗浄して汚れと埃を除去した後、速度差のある一対のロールの間隙をタイルカーペットの塩化ビニル裏打ち材の厚さ以下に設定して当該預かった施工済み且つ使用中のタイルカーペットを加熱して通過させ、押圧せん弾力を負荷させることによって、タイルカーペットの塩化ビニル裏打ち材を剥離させることとした。
【０１５１】
加熱したタイルカーペットを押圧せん弾力を負荷させることによって剥離を起こさせるタイルカーペットと塩化ビニル裏打ち材の分離回収方法においては、加熱温度が塩化ビニル裏打ち材の分離回収率に影響し、塩化ビニル裏打ち材の分離回収率は剥離されたカーペット層に残された塩化ビニル裏打ち材の厚さに影響することを利用して、このオフィスのドアチリに適合する残された塩化ビニル裏打ち材を含めた剥離されたカーペット層の厚さを決定するために加熱温度を２００℃に設定し、もともとあった３．０ｍｍの塩化ビニル裏打ち層の殆どを剥離して厚さ７．０ｍｍのカーペット層をえた。
【０１５２】
この塩化ビニル裏打ち材を剥離したカーペット層の縁端部を超音波加工によって相互につなぎ合わせ、幅１，０３０ｍｍで広幅長尺状のカーペット層シート層１５を形成した後、熱プレスでカーペット層を加熱圧縮して、総厚３．５mmのカーペット層からなる広幅長尺カーペット層シート層１５からなる裏打ち層を用意した。
【０１５３】
（４）当該幅１，０３０ｍｍで長尺状のカーペット層と未使用のカーペット原反をお互いのループ層が外側に来るようにして、該未使用のカーペット原反の目止めに用いる塩化ビニルゾルを接着剤として用いて張り合わせ、５００角の寸法に切り揃えて再生タイルカーペットを形成し、
【０１５４】
（５）先に、タイルカーペットを当該タイルカーペットの施工業者が剥したユーザーの支配下にある１，０００平米のオフィスに返送搬入し、
（６）先に、タイルカーペットを当該タイルカーペットの施工業者が剥したユーザーの支配下にある１，０００平米のオフィスの床下地面に、当該再生タイルカーペットの当該新しいカーペット層面が表面となる様に、当該再生タイルカーペットを施工した。
【０１５５】
（７）オフィスビルのユーザーとタイルカーペットの施工業者とタイルカーペットの再生工場を有するメーカーとが契約した三社契約には、このオフィスのメンテナンス契約事項が含まれており、それには３ヶ月に一度の清掃メンテナンス、１年に一度の全床メンテナンス、５年に一度の大型メンテナンス、部屋のレイアウト変更時のメンテナンスが含まれていた。各メンテナンス時にオフィスビルのユーザーとタイルカーペットの施工業者とタイルカーペットの再生工場を有するメーカーが協議をして当該オフィス床のタイルカーペットの汚れ具合を勘案し、一部若しくは全部のタイルカーペット再生工事を入れるか使用継続かを決定し、上記工程を反復繰り返す条項が盛り込まれているが、５年に一度の大型メンテナンスに先立ち契約三社で協議の上、上記工程を反復繰り返す事とし全部のタイルカーペット再生工事を入れた。
【０１５６】
尚、タイルカーペットを当該タイルカーペットの施工業者が剥したユーザーの支配下にある１，０００平米のオフィスにおいて部屋のボーダー部は部屋の寸法に合わせて切り込まれており、その分だけタイルカーペットが不足するので、他のオフィスから剥しとったタイルカーペットから塩化ビニル裏打ち材を剥離したカーペット層を用いて（３）と（４）の工程を経て形成した５００角の寸法に切り揃えた再生タイルカーペットと同時に返送搬入し、当該再生タイルカーペットとあわせて施工した。
【実施例３】
【０１５７】
実施例１の床改装システム施工後５年が経過した・・・２巡目
（１）この間、１年後との定期メンテナンス、レイアウト変更時毎のメンテナンス時に汚れ等著しい毀損のあったタイルカーペットはシステム施工時に用意してある予備材を用いてメンテナンスされたことは言うまでもない。この度は５年毎の大型メンテナンスと言うことでオフィスの全面改装を行う事とし、三社の契約に基づき、ユーザーの支配下にあるオフィス１，０００平米のタイルカーペットをタイルカーペットの施工業者が床面上の面ファスナーのフック部から剥し、
（２）ユーザーから剥離した使用済み且つ使用中のタイルカーペットを預かり、契約の当事者の一社であるタイルカーペットの再生工場に搬入し、
【０１５８】
（３）このオフィスから預かった再生タイルカーペットはカーペット層４．０ｍｍ、塩化ビニル裏打ち層を含む再生タイルカーペットのバッキング層は４．０ｍｍ、総厚８．０ｍｍであった。今回の改装工事でもオフィスビルのユーザーの希望でカーペット層の厚さを４．０ｍｍのものにしたいと言うことであったので、既存のドアチリに合わせる為には再生タイルカーペットはカーペット層の厚さを４．０ｍｍ、預かったタイルカーペット由来の裏打ち層の厚さ４．０ｍｍ、総厚８．０ｍｍになるよう厚さ減少工程を通して、預かったタイルカーペット由来の裏打ち層の厚さを４．０ｍｍに揃える必要があった。２巡目である今回は既存の再生タイルカーペットをそっくり新しい再生タイルカーペットのバッキング層として利用することとし、先ず、預かった施工済み且つ使用中のタイルカーペット（再生タイルカーペット）を洗浄して汚れと埃を除去した後、
【０１５９】
このオフィスのドアチリに適合する残された塩化ビニル裏打ち材を含めた剥離された再生カーペットの厚さを決定するために加熱温度を２００℃に設定し、もともとあった８．０ｍｍの再生タイルカーペットを加熱圧縮して、総厚４．０ｍｍのカーペット層からなる裏打ち層を用意した。
【０１６０】
この厚さ減少工程を経たカーペット層の縁端部を超音波加工によって相互につなぎ合わせ、幅１，０３０ｍｍで広幅長尺状のカーペット層シート層１５を形成した。
（４）当該幅１，０３０ｍｍで広幅長尺状のカーペット層シート層１５と未使用のカーペット原反をお互いのループ層が外側に来るようにして、両面粘着テープの粘着剤のみを接着剤として用いて張り合わせ、５００角の寸法に切り揃えて再生タイルカーペットを形成し、
【０１６１】
（５）先に、タイルカーペットを当該タイルカーペットの施工業者が剥したユーザーの支配下にある１，０００平米のオフィスに返送搬入し、
（６）先に、タイルカーペットを当該タイルカーペットの施工業者が剥したユーザーの支配下にある１，０００平米のオフィスの床下地面に、当該再生タイルカーペットの当該新しいカーペット層面が表面となる様に、当該再生タイルカーペットを施工した。
【０１６２】
（７）オフィスビルのユーザーとタイルカーペットの施工業者とタイルカーペットの再生工場を有するメーカーとが契約した三社契約には、このオフィスのメンテナンス契約事項が含まれており、それには３ヶ月に一度の清掃メンテナンス、１年に一度の全床メンテナンス、５年に一度の大型メンテナンス、部屋のレイアウト変更時のメンテナンスが含まれていた。各メンテナンス時にオフィスビルのユーザーとタイルカーペットの施工業者とタイルカーペットの再生工場を有するメーカーが協議をして当該オフィス床のタイルカーペットの汚れ具合を勘案し、一部若しくは全部のタイルカーペット再生工事を入れるか使用継続かを決定し、上記工程を反復繰り返す条項が盛り込まれているが、５年に一度の大型メンテナンスに先立ち契約三社で協議の上、上記工程を反復繰り返す事とし全部のタイルカーペット再生工事を入れることを合意したことは言うまでもない。
【０１６３】
尚、タイルカーペットを当該タイルカーペットの施工業者が剥したユーザーの支配下にある１，０００平米のオフィスにおいて部屋のボーダー部は部屋の寸法に合わせて切り込まれており、その分だけタイルカーペットが不足するので、他のオフィスから剥しとったタイルカーペットから塩化ビニル裏打ち材を剥離したカーペット層を用いて（３）及び（４）の工程を経て形成した５００角の寸法に切り揃えた再生タイルカーペットと同時に返送搬入し、当該再生タイルカーペットとあわせて施工した。
【実施例４】
【０１６４】
実施例１・実施例３と２度の大型メンテナンス施工後更に５年が経過した・・・
３巡目
（１）この間、１年後との定期メンテナンス、レイアウト変更時毎のメンテナンス時に汚れ等著しい毀損のあったタイルカーペットはシステム施工時に用意してある予備材を用いてメンテナンスされたことは言うまでもない。この度は５年毎の大型メンテナンスと言うことでオフィスの全面改装を行う事とし、三社の契約に基づき、ユーザーの支配下にあるオフィス１，０００平米のタイルカーペットをタイルカーペットの施工業者が床面上の面ファスナーのフック部から剥し、
（２）ユーザーから剥離した使用済み且つ使用中のタイルカーペットを預かり、契約の当事者の一社であるタイルカーペットの再生工場に搬入し、
【０１６５】
（３）このオフィスから預かった再生タイルカーペットはカーペット層４．０ｍｍ、再生タイルカーペット由来の裏打ち層４．０ｍｍ、総厚８．０ｍｍであった。今回の改装工事でもオフィスビルのユーザーの希望でカーペット層の厚さを４．０ｍｍのものにしたいと言うことであったので、既存のドアチリに合わせる為には再生タイルカーペットはカーペット層の厚さを４．０ｍｍ、預かったタイルカーペット由来の裏打ち層の厚さ４．０ｍｍ、総厚８．０ｍｍになるよう厚さ減少工程を通して、預かったタイルカーペット由来の裏打ち層の厚さを４．０ｍｍに揃える必要があった。先ず、預かった施工済み且つ使用中のタイルカーペット（再生カーペットタイル）を熱湯で煮沸洗浄して汚れと埃を除去すると同時に２巡目のカーペット層を熱湯剥離して、２巡目のカーペット層（カーペット層の厚さを４．０ｍｍ）と２巡目のバッキング層（１巡目で作成した再生カーペットタイル・・・カーペット層が裏々合わせで張り合わされたもの）を得た。
【０１６６】
このたびの大型メンテナンス工事で用いるのは２巡目のカーペット層のみとし、２巡目のバッキング層は別の用途に転用することとした。
２巡目のカーペット層を厚さ１．０ｍｍの補強シートを介して、幅１，０３０ｍｍで広幅長尺状のカーペット層シート層１５に成形した後（厚さは５．０ｍｍになっている）、図１４の厚さ減少工程を経て、厚さ４．０ｍｍのバッキング層用カーペット層シート層１５を得た。
【０１６７】
（４）当該幅１，０３０ｍｍで広幅長尺状のカーペット層シート層１５と未使用のカーペット原反を互いのループ層が外側に来るようにして、該未使用のカーペット原反の目止めに用いる塩化ビニルゾルを接着剤として用いて張り合わせ、５００角の寸法に切り揃えて再生タイルカーペットを形成し、
（５）先に、タイルカーペットを当該タイルカーペットの施工業者が剥したユーザーの支配下にある１，０００平米のオフィスに返送搬入し、
（６）先に、タイルカーペットを当該タイルカーペットの施工業者が剥したユーザーの支配下にある１，０００平米のオフィスの床下地面に、当該再生タイルカーペットの当該新しいカーペット層面が表面となる様に、当該再生タイルカーペットを施工した。
【０１６８】
（７）オフィスビルのユーザーとタイルカーペットの施工業者とタイルカーペットの再生工場を有するメーカーとが契約した三社契約には、このオフィスのメンテナンス契約事項が含まれており、それには３ヶ月に一度の清掃メンテナンス、１年に一度の全床メンテナンス、５年に一度の大型メンテナンス、部屋のレイアウト変更時のメンテナンスが含まれていた。各メンテナンス時にオフィスビルのユーザーとタイルカーペットの施工業者とタイルカーペットの再生工場を有するメーカーが協議をして当該オフィス床のタイルカーペットの汚れ具合を勘案し、一部若しくは全部のタイルカーペット再生工事を入れるか使用継続かを決定し、上記工程を反復繰り返す条項が盛り込まれているが、５年に一度の大型メンテナンスに先立ち契約三社で協議の上、上記工程を反復繰り返す事とし全部のタイルカーペット再生工事を入れることを合意したことは言うまでもない。
【０１６９】
尚、タイルカーペットを当該タイルカーペットの施工業者が剥したユーザーの支配下にある１，０００平米のオフィスにおいて部屋のボーダー部は部屋の寸法に合わせて切り込まれており、その分だけタイルカーペットが不足するので、他のオフィスから剥しとったタイルカーペットから塩化ビニル裏打ち材を剥離したカーペット層を用いて（３）及び（４）の工程を経て形成した５００角の寸法に切り揃えた再生タイルカーペットと同時に返送搬入し、当該再生タイルカーペットとあわせて施工した。
【図面の簡単な説明】
【０１７０】
【図１】図１は、本発明に係るタイルカーペットの再生再使用システムの一具体例の構成を示すフローチャートである。
【図２】図２は、本発明に係るタイルカーペットの再生再使用システムの他の具体例の構成を示すフローチャートである。
【図３】図３は、本発明に係るタイルカーペットの再生再使用システムの別の具体例の構成を示すフローチャートである。
【図４】図４は、本発明に係るタイルカーペットの再生再使用システムの更に他の具体例の構成を示すフローチャートである。
【図５】図５は、本発明に係るタイルカーペットの再生再使用システムの更に別の具体例の構成を示すフローチャートである。
【図６】図６は、本発明で使用されるタイルカーペット及び繊維形成層材料の構成例を示す断面図である。
【図７】図７は、本発明で使用されるカーペット層シート層及び繊維形成層材料シート層の構成の例を示す断面図である。
【図８】図８は、本発明に於ける再生タイルカーペットの構成の具体例を示す図である。
【図９】図９は、本発明に於ける再生タイルカーペットの他の具体例の構成例を示す断面図である。
【図１０】図１０は、チリとドアチリ（ドア構造）との関係を説明する断面図である。
【図１１】図１１は、本発明に於けるタイルカーペットに於ける厚み減少装置の一具体例の構成を示す断面図である。
【図１２】図１２（Ａ）、図１２（Ｂ）、図１２（Ｃ）は、本発明に於けるタイルカーペットに於ける厚み減少装置の他の具体例の構成を示す断面図である。
【図１３】図１３は、本発明に於けるタイルカーペットに於けるカーペット層を加熱圧縮する方法による厚み減少装置の具体例の構成を示す図である。
【図１４】図１４は、本発明に於けるタイルカーペットに於けるカーペット層を加熱圧縮する方法による厚み減少装置の更に他の具体例の構成を示す図である。
【符号の説明】
【０１７１】
１．        タイルカーペット
２．        カーペット層    カーペット層面
３．        バッキング層
４．        繊維結合層
１０．      繊維形成材料層
１１．      当接部    タイルカーペットの端部同士
１２．      接合部    固着手段
１５．      タイルカーペットシート層
２０．      未使用のカーペット原反
２０−１．  未使用のカーペット原反の裏面
２１、２２．回転差を有する一対のロール
２３．      ロールの隙間
２４．      熱風加熱炉
２５．      熱風送風機
２６．      ベルトコンベア
２７．      プレス
２８．      プレスロール
２９．      シュート
３０．      新しいタイルカーペット、    再生タイルカーペット
４０．      カーペット層体
５０．      使用済みバッキング層
６２．      基布に植毛されたパイル
６６．      基布
７２，７３，７４，７５，７６，７７，７８，７９．
適宜の方法で切り揃えて再生タイルカーペットを得る切断線
８１．      ドア部
８２．      ドアの開閉方向
８３．      床仕上げ材表面（ドアが開かない方向）
８４．      床仕上げ材
８５．      チリ部
８６．      ドアチリ部
８７．      床下地
８８．      床仕上げ材表面（ドアが開く方向）
８９．      ドア枠
６００．    スクレーバーブレード
６０１．    プレーナー
６０２．    バンドナイフスプリッター
Ｐ、Ｐ１、Ｐ２、Ｐ３、Ｐ４、Ｐ５．当接筋
【図１】
2007159949.tif 000003
【図２】
2007159949.tif 000004
【図３】
2007159949.tif 000005
【図４】
2007159949.tif 000006
【図５】
2007159949.tif 000007
【図６】
2007159949.tif 000008
【図７】
2007159949.tif 000009
【図８】
2007159949.tif 000010
【図９】
2007159949.tif 000011
【図１０】
2007159949.tif 000012
【図１１】
2007159949.tif 000013
【図１２】
2007159949.tif 000014
【図１３】
2007159949.tif 000015
【図１４】
2007159949.tif 000016